(57)【特許請求の範囲】
【請求項１】
情報データを記憶する情報記憶手段と、前記情報データが複数の各世代の人により再生された回数の値に対応する世代別再生頻度値及び世代別再生頻度値の総和からなる再生頻度値を含む情報周辺データを記憶する情報周辺データ記憶手段と、情報周辺データの更新を行う更新手段と、情報データを再生する再生手段と、リモコン装置と双方向通信を行うリモコン通信手段、リモコン装置から受信したデータを記憶するリモコン受信データ記憶手段とを備えた情報再生装置と、
前記情報再生装置と双方向通信を行う通信手段と、情報データ名及び再生予約の有無を入力するとともに入力者の世代のデータを入力する入力手段と、受信した前記情報周辺データを記憶するデータ記憶手段と、該受信した情報周辺データを表示する表示手段とを備えたリモコン装置とからなるリモコン予約システムであって、
前記リモコン装置は前記入力手段により入力された情報データ名と入力者の世代のデータを送信し、
前記情報再生装置は受信した該情報データ名と入力者の世代のデータを受信後該受信データを前記リモコン受信データ記憶手段により記憶し、該情報データ名の情報データに係る情報周辺データを送信し、
前記リモコン装置は受信した該情報周辺データの内前記世代別再生頻度値を表示後入力された再生予約の有無の信号を送信し、
前記情報再生装置は再生予約有の信号を受信すると該情報データ名の情報データを再生予約後、世代のデータに対応した世代別再生頻度値と再生頻度値とを前記更新手段により１増やすことを特徴とするリモコン予約システム。
【請求項２】
前記情報再生装置が通信手段を介してホストコンピュータに接続される端末装置であり、
ホストコンピュータに前記情報データと該情報データの情報周辺データとを記憶する情報記憶手段を備え、
前記ホストコンピュータは、前記端末装置から更新された情報周辺データを受信し、該情報周辺データに基づき前記情報記憶手段の情報周辺データを該情報記憶手段により更新後、再度、更新後の情報周辺データを前記端末装置に送信し、前記端末装置は受信した前記情報周辺データを受信前の情報周辺データと置き換えることを特徴とする請求項１記載のリモコン予約システム。
【請求項３】
前記情報再生装置がカラオケ装置であり、前記情報データがカラオケ曲情報データであり、前記情報周辺データが前記世代別再生頻度値、再生頻度値及び歌うときの難易度のカラオケ曲周辺データであって、
前記リモコン装置は入力手段により入力されたカラオケ曲情報データ名のデータを送信し、
該前記カラオケ装置は受信した前記カラオケ曲データ名を前記リモコン受信データ記憶手段により記憶し、前記カラオケ曲データ名のカラオケ曲周辺データを送信し、
前記リモコン装置は受信した該カラオケ曲周辺データを表示後入力された再生予約の有無の信号を送信し、
前記カラオケ装置は再生予約有の信号を受信すると該カラオケ曲データ名のカラオケ曲情報データを再生予約後、カラオケ曲周辺データの世代別再生頻度値及び再生頻度値を前記更新手段により１増やすことを特徴とする請求項１又は請求項２記載のリモコン予約システム。
【請求項４】
前記情報再生装置がビデオ再生装置であり、前記情報データがビデオ情報であり、前記情報周辺データが前記再生頻度値のビデオ周辺データであって、
前記リモコン装置は入力手段により入力されたビデオ情報名データを送信し、
ビデオ再生装置は受信した前記ビデオ情報名を前記リモコン受信データ記憶手段により記憶し、前記ビデオ情報名のビデオ周辺データを送信し、
前記リモコン装置は受信した該ビデオ周辺データを表示後入力された再生予約の有無の信号を送信し、
前記ビデオ再生装置は再生予約有の信号を受信すると該ビデオ情報名のビデオ情報を再生予約後、ビデオ周辺データの再生頻度値を前記更新手段により１増やすことを特徴とする請求項１又は請求項２記載のリモコン予約システム。
【請求項５】
前記リモコン装置に情報周辺データの更新を行う更新手段を備え、
情報再生装置は動作開始時に前記情報周辺データ記憶手段に記憶している全ての情報周辺データを送信し、
前記リモコン装置は受信した全ての情報周辺データをデータ記憶手段に記憶し、前記入力手段により入力された情報データ名に対応する情報周辺データを表示後再生予約命令が入力されると、該情報データ名に対応する情報データの再生予約信号を送信後情報周辺データの更新を行い、
前記情報再生装置は前記再生予約信号を受信すると該情報データを再生予約し、情報周辺データを更新することを特徴とする請求項１乃至請求項４のいずれかに記載のリモコン予約システム。
【請求項６】
前記情報周辺データとして、人気度を含み、
前記更新手段に前記世代別再生頻度値と比較される第１基準値と第１基準値よりも大きい第２基準値とを記憶する基準値記憶手段を備え、
前記更新手段は前記人気度更新時に各世代別再生頻度値の総和である再生人気度値を算出し、該再生人気度値が第１基準値よりも小さい場合には人気度を低いとし、該再生人気度値が第１基準値以上且つ第２基準値より小さい場合には人気度を普通とし、該再生人気度値が第２基準値よりも大きい場合には人気度を高いとした後、各世代別再生頻度値を各世代別再生頻度値の２分の１を越えない最大整数値と置き換えることを特徴とする請求項１乃至請求項５に記載のリモコン予約システム。
【発明の詳細な説明】
【０００１】
【発明の属する技術分野】
本発明は、情報再生装置のリモコン予約システムに関するものであり、特に、情報再生装置から送信された情報周辺データ（例えば、カラオケ曲の人気度やビデオの人気度）をリモコン装置に表示し、リモコン利用者が表示された情報周辺データを参考にして情報データの再生予約を行うリモコン予約システムに関するものである。
【０００２】
【従来の技術】
情報再生装置の一例としていわゆるカラオケ装置を勘案した場合、従来、カラオケ装置の再生曲の予約システムでは、客自身が、歌本で選曲した曲番号を確認後、リモコンで曲番号を入力して予約している。そして、予約されている曲数、予約時に用いた曲番号、曲目を予約時または常時、知らせてくれるカラオケ装置が知られている。
また、情報再生装置の他の例としていわゆるビデオオンデマンド装置を勘案した場合、ビデオオンデマンド装置の再生ビデオの予約システムでは、利用者が選択した再生ビデオのビデオ番号を一覧表で確認後、リモコンでビデオ番号を入力して予約している。
【０００３】
【発明が解決しようとする課題】
しかしながら、自分が歌う予定の曲が果たして聞く者にとってウケがいいか分からない。また、歌唱力の無い人が難易度の高い曲を選ぶと最後まで歌いきれず、恥ずかしい思いをすることがある。また、再生ビデオを出演者名で選んだ場合、その再生ビデオが果たして見る者にとって楽しめるかどうか分からない。
本発明は、上述した問題点を解決するためになされたものであり、歌う曲の予約時に、その曲の再生頻度、人気度、どの世代の人にウケがいいかという情報を提供することで、歌っている本人だけでなく同席している人が一緒に楽しめる曲目を選ぶことができ、また、その曲を歌うときの難易度も知らせてくれることで、難易度が高い曲を選んで、後で後悔することが無くなるリモコン予約システムの提供を目的とする。また、再生ビデオの予約時に、その再生ビデオの再生頻度、人気度、どの世代の人にウケがいいかという情報を提供することで、見ている本人だけでなく同席している人が一緒に楽しめる再生ビデオを選ぶことが可能なリモコン予約システムの提供を目的とする。
【０００４】
【課題を解決するための手段】
この目的を達成するため請求項１に係わるリモコン予約システムは、情報データを記憶する情報記憶手段と、前記情報データが複数の各世代の人により再生された回数の値に対応する世代別再生頻度値及び世代別再生頻度値の総和からなる再生頻度値を含む情報周辺データを記憶する情報周辺データ記憶手段と、情報周辺データの更新を行う更新手段と、情報データを再生する再生手段と、リモコン装置と双方向通信を行うリモコン通信手段、リモコン装置から受信したデータを記憶するリモコン受信データ記憶手段とを備えた情報再生装置と、前記情報再生装置と双方向通信を行う通信手段と、情報データ名及び再生予約の有無を入力するとともに入力者の世代のデータを入力する入力手段と、受信した前記情報周辺データを記憶するデータ記憶手段と、該受信した情報周辺データを表示する表示手段とを備えたリモコン装置とからなるリモコン予約システムであって、前記リモコン装置は前記入力手段により入力された情報データ名と入力者の世代のデータを送信し、前記情報再生装置は受信した該情報データ名と入力者の世代のデータを受信後該受信データを前記リモコン受信データ記憶手段により記憶し、該情報データ名の情報データに係る情報周辺データを送信し、前記リモコン装置は受信した該情報周辺データの内前記世代別再生頻度値を表示後入力された再生予約の有無の信号を送信し、前記情報再生装置は再生予約有の信号を受信すると該情報データ名の情報データを再生予約後、世代のデータに対応した世代別再生頻度値と再生頻度値とを前記更新手段により１増やすことを特徴とする。
【０００５】
このような構成のリモコン予約システムでは、前記情報周辺データが複数の各世代の人により再生された回数の値に対応する世代別再生頻度値及び世代別再生頻度値の総和からなる再生頻度値を含んでおり、利用者はリモコン装置の入力手段により情報データ名と利用者の世代のデータを入力し、情報再生装置に前記の情報データ名と入力者の世代のデータを送信する。次に、情報再生装置は前記データを受信すると、リモコン受信データ記憶手段により記憶し、前記情報データ名の情報周辺データ（再生頻度値及び世代別再生頻度値等）をリモコン装置に送信する。次に、リモコン装置は受信した前記情報周辺データを利用者に表示し、利用者はこれを参考にして、前記送信した情報データ名の情報データの再生予約の有無を決定し、予約又は中止の信号を情報再生装置に送信する。次に、情報再生装置は予約信号を受信すると、前記情報データの再生予約を行い、再生頻度値と世代別再生頻度値とを１増やす。また、中止信号を受信した場合は、前記情報データの再生予約及び情報周辺データの更新は行わない。
これにより、情報再生装置の利用者は、手元にあるリモコン装置により情報データに関する情報周辺データ（再生頻度値及び世代別再生頻度値等）を再生予約前に知ることができ、リモコン装置の入力者以外の利用者にも興味度の高い情報データの再生予約を行うことが可能となる。
【０００６】
また、請求項２に係るリモコン予約システムは、請求項１に係るリモコン予約システムにおいて、前記情報再生装置が通信手段を介してホストコンピュータに接続される端末装置であり、ホストコンピュータに前記情報データと該情報データの情報周辺データとを記憶する情報記憶手段を備え、前記ホストコンピュータは、前記端末装置から更新された情報周辺データを受信し、該情報周辺データに基づき前記情報記憶手段の情報周辺データを該情報記憶手段により更新後、再度、更新後の情報周辺データを前記端末装置に送信し、前記端末装置は受信した前記情報周辺データを受信前の情報周辺データと置き換えることを特徴とする。
【０００７】
このような構成を有するリモコン予約システムでは、ホストコンピュータの端末装置である情報再生装置において、情報周辺データが利用者の再生予約により更新される。その後、ホストコンピュータは、端末装置の更新された情報周辺データを通信手段を介して入手し、この受信データに基づき前記記憶手段に記憶している情報周辺データを更新し、更新後の情報周辺データを前記端末装置に送信する。そして、該更新後の情報周辺データを受信した端末装置は、受信した前記情報周辺データを受信前の情報周辺データと置き換える。
これにより、情報再生装置１台のみの再生頻度等の情報周辺データだけでなく、ホストコンピュータに接続されている他の情報再生装置の再生頻度等の情報周辺データも利用することができ、より信頼性の高い情報周辺データを利用者に提供することが可能になる。
【０００８】
また、請求項３に係るリモコン予約システムは、請求項１又は請求項２に係るリモコン予約システムにおいて、前記情報再生装置がカラオケ装置であり、前記情報データがカラオケ曲情報データであり、前記情報周辺データが前記世代別再生頻度値、再生頻度値及び歌うときの難易度のカラオケ曲周辺データであって、前記リモコン装置は入力手段により入力されたカラオケ曲情報データ名のデータを送信し、該前記カラオケ装置は受信した前記カラオケ曲データ名を前記リモコン受信データ記憶手段により記憶し、前記カラオケ曲データ名のカラオケ曲周辺データを送信し、前記リモコン装置は受信した該カラオケ曲周辺データを表示後入力された再生予約の有無の信号を送信し、前記カラオケ装置は再生予約有の信号を受信すると該カラオケ曲データ名のカラオケ曲情報データを再生予約後、カラオケ曲周辺データの世代別再生頻度値及び再生頻度値を前記更新手段により１増やすことを特徴とする。
【０００９】
このような構成のリモコン予約システムでは、リモコン装置は、入力されたカラオケ曲情報データ名をカラオケ装置に送信すると、折り返しカラオケ装置からカラオケ曲情報データ名に対応するカラオケ曲周辺データ（世代別再生頻度値、再生頻度値及び歌の難易度等）がリモコン装置に送信される。次に、リモコン装置は受信した前記カラオケ曲周辺データを利用者に表示し、利用者はこれを参考にして、前記送信したカラオケ曲情報データ名のカラオケ曲情報データの再生予約の有無を決定し、予約又は中止の信号をカラオケ装置に送信する。次に、カラオケ装置は予約信号を受信すると、前記カラオケ曲情報データの再生予約後世代別再生頻度値及び再生頻度値を１増やし、中止信号を受信した場合は、前記カラオケ曲情報データの再生予約は行わない。
これにより、カラオケ装置の利用者は、手元にあるリモコン装置によりカラオケ曲情報データに関する世代別再生頻度値、再生頻度値及び歌うときの難易度等のカラオケ曲周辺データを再生予約前に知ることができ、希望にあったカラオケ曲情報データのみの再生予約を行うことが可能となる。
【００１０】
また、請求項４に係るリモコン予約システムは、請求項１又は請求項２に係るリモコン予約システムにおいて、前記情報再生装置がビデオ再生装置であり、前記情報データがビデオ情報であり、前記情報周辺データが前記再生頻度値のビデオ周辺データであって、前記リモコン装置は入力手段により入力されたビデオ情報名データを送信し、ビデオ再生装置は受信した前記ビデオ情報名を前記リモコン受信データ記憶手段により記憶し、前記ビデオ情報名のビデオ周辺データを送信し、前記リモコン装置は受信した該ビデオ周辺データを表示後入力された再生予約の有無の信号を送信し、前記ビデオ再生装置は再生予約有の信号を受信すると該ビデオ情報名のビデオ情報を再生予約後、ビデオ周辺データの再生頻度値を前記更新手段により１増やすことを特徴とする。
【００１１】
このような構成のリモコン予約システムでは、リモコン装置は、入力されたビデオ情報名をビデオ再生装置に送信すると、折り返しビデオ再生装置からビデオ情報名に対応するビデオ周辺データ（再生頻度値等）がリモコン装置に送信される。次に、リモコン装置は受信した前記ビデオ周辺データを利用者に表示し、利用者はこれを参考にして、前記送信したビデオ情報名のビデオ情報の再生予約の有無を決定し、予約又は中止の信号をビデオ再生装置に送信する。次に、ビデオ再生装置は予約信号を受信すると、前記ビデオ情報の再生予約後再生頻度値を１増やし、中止信号を受信した場合は、前記ビデオ情報の再生予約は行わない。
これにより、ビデオ再生装置の利用者は、手元にあるリモコン装置によりビデオ情報に関する再生頻度値等のビデオ周辺データを再生予約前に知ることができ、希望にあったビデオ情報のみの再生予約を行うことが可能となる。
【００１２】
また、請求項５に係るリモコン予約システムは、請求項１乃至請求項４のいずれかに係るリモコン予約システムにおいて、前記リモコン装置に情報周辺データの更新を行う更新手段を備え、情報再生装置は動作開始時に前記情報周辺データ記憶手段に記憶している全ての情報周辺データを送信し、前記リモコン装置は受信した全ての情報周辺データをデータ記憶手段に記憶し、前記入力手段により入力された情報データ名に対応する情報周辺データを表示後再生予約命令が入力されると、該情報データ名に対応する情報データの再生予約信号を送信後情報周辺データの更新を行い、前記情報再生装置は前記再生予約信号を受信すると該情報データを再生予約し、情報周辺データを更新することを特徴とする。
【００１３】
【００１４】
【００１５】
このような構成のリモコン予約システムでは、前記情報再生装置は動作開始時に、記憶している全ての情報周辺データ（再生頻度値等）をリモコン装置に送信する。次に、リモコン装置は受信した全ての情報周辺データをデータ記憶手段に記憶し、利用者が入力手段により情報データ名を入力すると、該情報データ名に対応する情報周辺データを表示手段により表示する。次に、利用者はこの表示された情報周辺データを参考にして、再生予約の有無を決定する。そして、利用者により再生予約命令がリモコン装置に入力されると、前記情報データ名の情報データの再生予約信号を送信し、情報周辺データの再生頻度値等の更新を行う。次に、情報再生装置は前記再生予約信号を受信すると、前記情報データ名の情報データの再生予約を行い、情報周辺データの再生頻度値等の更新を行う。
これにより、情報再生装置の利用者は、情報周辺データを毎回、情報再生装置と通信して情報を得る必要が無くなり、多くの情報周辺データの検索を行う場合の通信時間の削減が可能になり、快適な情報検索の環境を提供することが可能である。
【００１６】
また、請求項６に係るリモコン予約システムは、請求項１乃至請求項５のいずれかに係るリモコン予約システムにおいて、前記情報周辺データとして、人気度を含み、前記更新手段に前記世代別再生頻度値と比較される第１基準値と第１基準値よりも大きい第２基準値とを記憶する基準値記憶手段を備え、前記更新手段は前記人気度更新時に各世代別再生頻度値の総和である再生人気度値を算出し、該再生人気度値が第１基準値よりも小さい場合には人気度を低いとし、該再生人気度値が第１基準値以上且つ第２基準値より小さい場合には人気度を普通とし、該再生人気度値が第２基準値よりも大きい場合には人気度を高いとした後、各世代別再生頻度値を各世代別再生頻度値の２分の１を越えない最大整数値と置き換えることを特徴とする。
【００１７】
このような構成のリモコン予約システムでは、前記情報周辺データが人気度を含み、情報周辺データの全ての世代別再生頻度値と人気度は、前記更新手段により予め決められた期間毎に更新される。更新方法は、先ず、各情報データに対して、世代別再生頻度値の合計値である再生人気度値を算出し、次に、該更新手段の基準値記憶手段によって記憶されている第１基準値、第２基準値、及び前記各再生人気度値を更新手段により比較する。次に、該再生人気度値が第１基準値よりも小さい場合には人気度を「低い」とし、該再生人気度値が第１基準値以上且つ第２基準値よりも小さい場合には人気度を「普通」とし、該再生人気度値が第２基準値以上の場合には人気度を「高い」として、人気度を置き換える。次に、全ての世代別再生頻度値を各世代別再生頻度値の２分の１を越えない最大整数値と置き換える。
これにより、長期間の間隔で情報周辺データを更新しても、各情報周辺データがその時期の流行に敏感に反応した値となるため、世代別再生頻度値及び人気度の各データの信頼性を高くすることが可能になる。
【００１８】
【発明の実施の形態】
以下、本発明に係るリモコン予約システムについて、本発明を具体化した第１乃至第４の実施の形態に基づき図面を参照して詳細に説明する。先ず、第１実施形態のカラオケ装置のリモコン予約システムを図１乃至図５に基づいて説明する。図１は第１実施形態のカラオケ装置のリモコン予約システムのシステム構成を示すブロック図である。図２は第１実施形態のカラオケ曲周辺データのデータ構成図である。図３はリモコン装置の外観図である。図４はカラオケ曲のリモコン予約のフローチャートである。図５はカラオケ曲周辺データの液晶モニタの表示例である。
第１実施形態のカラオケ装置のリモコン予約システムは、図１に示すように、いわゆる通信カラオケ装置１とリモコン装置２とから構成される。通信カラオケ装置１は、各機器を制御するＣＰＵ３、処理情報を一時記憶するＲＡＭ４、処理プログラムを記憶するＲＯＭ５、カラオケ曲の予約をするためのキー入力装置６、カラオケ曲周辺データ３０（図２参照）を格納するカラオケ曲周辺データ保持装置７、カラオケ曲周辺データ３０をリモコン装置２に送信する対リモコン送信装置８、リモコン装置２からの信号を受信する対リモコン受信装置９、ホストコンピュータと通信を行うための対ホスト通信装置１０、ホストコンピュータから受信したカラオケ曲の背景画や歌詞のテロップを格納する映像データ保持装置１１、映像データを再生する映像再生装置１２、再生映像を表示するモニタ１３、ホストコンピュータから受信したカラオケ曲情報を格納するカラオケ曲情報保持装置１４、カラオケ曲情報を再生するカラオケ曲情報再生装置１５、音声信号を取り込むマイク１６、演奏信号と音声信号とを合成、増幅するアンプ１７、及び、出力用スピーカ１８を有しており、これらによって、いわゆる「通信カラオケ」と呼ばれるカラオケ装置の構成を有している。また、リモコン装置２は、各機器を制御するＣＰＵ２０、処理情報を一時記憶するＲＡＭ２１、処理プログラムを記憶するＲＯＭ２２、カラオケ曲番号等を入力するためのキー入力装置２３、通信カラオケ装置１に信号を送信するための対本体送信装置２４、通信カラオケ装置１から送られてくるカラオケ曲周辺データ３０を受信する対本体受信装置２５、受信したカラオケ曲周辺データ３０を映像データに変換する映像再生装置２６、及び、再生映像を表示する液晶モニタ２７から構成されている。
【００１９】
次に、カラオケ曲周辺データ３０のデータ構造を図２に示す。カラオケ曲周辺データ３０は、カラオケ曲の曲番号３１、曲名３２、歌手名３３、作詩者名３４、作曲者名３５、演奏時間３６、歌うときの難易度３７、各世代の人に再生された回数値である世代別再生頻度値３８、世代別再生頻度値の総和である再生頻度値３９、及び、人気度４０から構成されている。
【００２０】
次に、図３にリモコン装置２の外観図を示す。リモコン装置２は、カラオケ曲周辺データ３０等を表示する液晶モニタ２７、キー入力装置２３としてカラオケ曲番号等を入力するテンキー４１、利用者の世代を入力する世代入力ボタン４２、中止命令を入力する中止ボタン４３、及び、予約を確定する確定ボタン４４より構成されている。
【００２１】
次に、カラオケ曲のリモコン予約の手順を図４のフローチャートに基づいて説明する。リモコン装置２は入力待ちにあるときは、液晶モニタ２７に「歌いたい曲の曲番号とあなたの該当する世代を入力して下さい」と表示している。従って、リモコン利用者は、テンキー４１により歌いたい曲の曲番号を入力する。そして、曲番号を入力後世代入力ボタン４２により世代を入力する（Ｓ１）。世代入力ボタン４２を押すと、対本体送信装置２４から曲番号と世代データが通信カラオケ装置１に送信される（Ｓ２）。通信カラオケ装置１は、対リモコン受信装置９により曲番号と世代データを受信すると、ＲＡＭ４に曲番号と世代データを格納し、曲番号に該当するカラオケ曲周辺データ３０をカラオケ曲周辺データ保持装置７から検索する（Ｓ３）。次に、通信カラオケ装置１は、検索したカラオケ曲周辺データ３０を対リモコン送信装置８によりリモコン装置２に送信する（Ｓ４）。
リモコン装置２は、該カラオケ曲周辺データ３０の信号を対本体受信装置２５により受信し、映像再生装置２６により図５に示すような液晶画面表示４５を液晶モニタ２７に表示する。ここで、世代別の人気度は、世代別再生頻度値が０〜４９のとき世代別人気度の表示欄に×が表示され、世代別再生頻度値が５０以上のときは○が表示される（Ｓ５）。
次に、リモコン装置２は確定ボタン４４か中止ボタン４３が押されるのを待っており、確定ボタン４４が押された場合は（Ｓ６：ＹＥＳ）、対本体送信装置２４により確定信号を送信し、再び、初期画面表示状態の「歌いたい曲の曲番号とあなたの該当する世代を入力して下さい」の表示に戻る。次に、通信カラオケ装置１は、対リモコン受信装置９により確定信号を受信すると、前記カラオケ曲周辺データ３０の世代別再生頻度値と再生頻度値とを１増やし（Ｓ７）、全ての予約曲の最後に前記曲番号のカラオケ曲の再生予約を設定する（Ｓ８）。そして、再生予約待ち状態に戻る。
また、中止ボタン４３が押された場合は（Ｓ６：ＮＯ、Ｓ９：ＹＥＳ）、対本体送信装置２４により中止信号を送信し、再び、初期画面表示状態の「歌いたい曲の曲番号とあなたの該当する世代を入力して下さい」の表示に戻る。次に、通信カラオケ装置１は、対リモコン受信装置９により中止信号を受信するとカラオケ曲の予約は行わなず、再生予約待ち状態に戻る。
【００２２】
次に、カラオケ曲周辺データ３０の更新時の手順を説明する。一定期間毎にカラオケ曲周辺データ３０の人気度と世代別再生頻度値のデータ更新を行う。人気度の更新は、各世代別再生頻度値の合計を算出し、合計値が５０より小さいときは「低い」、５０以上９９以下のときは「普通」、１００以上のときは「高い」とする。その後、各世代別再生頻度値を各世代別再生頻度値の２分の１を越えない最大整数値と置き換え、世代別再生頻度値の更新を行う。
【００２３】
これにより、通信カラオケ装置１の利用者は、手元にあるリモコン装置２によりカラオケ曲に関する再生頻度値や歌うときの難易度等のカラオケ曲周辺データ３０を再生予約前に知ることができ、希望にあったカラオケ曲のみの再生予約を行うことが可能となる。また、一定期間毎にカラオケ曲周辺データ３０を更新することにより、そのときの流行が反映された人気度等のカラオケ曲周辺データ３０となるため、世代別再生頻度値及び人気度の各データの信頼性を高くすることが可能になる。
【００２４】
次に、第２の実施形態のカラオケ装置のリモコン予約システムを図１及び図６に基づいて説明する。本実施形態のリモコン予約システムは、図１に示す通信カラオケ装置１、リモコン装置２、及び、図６に示すホストコンピュータ５０とから構成されている。図６はホストコンピュータ５０のシステム構成を示すブロック図である。図６に示すように、ホストコンピュータ５０は、各機器を制御するＣＰＵ５１、処理情報を一時記憶するＲＡＭ５２、処理プログラムを記憶するＲＯＭ５３、カラオケ曲情報を格納するカラオケ曲情報保持装置５４、カラオケ曲周辺データ３０（図２参照）を格納するカラオケ曲周辺データ保持装置５５、端末装置である通信カラオケ装置１と通信を行うための対端末通信装置５６とから構成されている。また、通信カラオケ装置１とリモコン装置２の構成は第１実施形態の構成と同一である。これらによって、いわゆる「通信カラオケ」と呼ばれるカラオケ装置の構成を有している。
【００２５】
このような構成のリモコン予約システムにおいては、カラオケ曲のリモコン予約の手順は第１実施形態のリモコン予約の手順と同一である。
【００２６】
次に、カラオケ曲周辺データ３０（図２参照）の更新時の手順を説明する。ホストコンピュータ５０から通信カラオケ装置１にカラオケ曲情報を対端末通信装置５６により配信後、通信カラオケ装置１の全てのカラオケ曲周辺データ３０を受信し、各曲番号の各世代別再生頻度値３８を前回更新時の各世代別再生頻度値３８と比較し、増加していれば増加分をホストコンピュータ５０の曲周辺データ保持装置５５の同じ曲番号のカラオケ曲周辺データ３０に各世代別再生頻度値３８の増加分を加える。
次に、ホストコンピュータ５０は、一定期間毎に曲周辺データ保持装置５５のカラオケ曲周辺データ３０の人気度と世代別再生頻度値のデータ更新を行う。人気度の更新は、各世代別再生頻度値の合計を算出し、合計値が１０００より小さいときは「低い」、１０００以上１９９９以下のときは「普通」、２０００以上のときは「高い」とする。その後、曲周辺データ保持装置５５のカラオケ曲周辺データ３０の各世代別再生頻度値を各世代別再生頻度値の２分の１を越えない最大整数値と置き換え、世代別再生頻度値の更新を行い、更新後の全てのカラオケ曲周辺データ３０を通信カラオケ装置１に送信する。
次に、更新後のカラオケ曲周辺データ３０を受信した通信カラオケ装置１は、カラオケ曲周辺データ保持装置７のカラオケ曲周辺データ３０を受信したカラオケ曲周辺データ３０と置き換える。
【００２７】
これにより、通信カラオケ装置１の利用者は、手元にあるリモコン装置２によりカラオケ曲に関する再生頻度値や歌うときの難易度等のカラオケ曲周辺データ３０を再生予約前に知ることができ、希望にあったカラオケ曲のみの再生予約を行うことが可能となる。また、通信カラオケ装置１台のみの再生頻度値だけでなく、ホストコンピュータ５０に接続されている全国の通信カラオケ装置１の各世代別再生頻度値３８を利用することができ、より流行が反映された、信頼性の高い人気度等のカラオケ曲周辺データ３０を利用者に提供することが可能になる。
【００２８】
次に、第３の実施形態のカラオケ装置のリモコン予約システムを説明する。第３実施形態のカラオケ装置のリモコン予約システムの構成は、第１実施形態のカラオケ装置のリモコン予約システムの構成と同一である。また、カラオケ曲周辺データ３０のデータ構造とリモコン装置２の外観も第１実施形態と同一である。
次に、カラオケ曲のリモコン予約の手順を図７のフローチャートに基づいて説明する。先ず、通信カラオケ装置１は動作開始時にリモコン装置２へカラオケ曲周辺データ保持装置７に格納されている全てのカラオケ曲周辺データ３０を対リモコン送信装置８により送信する（Ｓ１１）。次に、リモコン装置２は受信した前記カラオケ曲周辺データをＲＡＭ２１に格納する（Ｓ１２）。
次に、リモコン装置２は入力待ちにあるときは、液晶モニタ２７に「歌いたい曲の曲番号とあなたの該当する世代を入力して下さい」と表示している。従って、リモコン利用者は、テンキー４１により歌いたい曲の曲番号を入力する。曲番号を入力後世代入力ボタン４２により世代を入力する（Ｓ１３）。世代入力ボタン４２を押すと、リモコン装置２は、ＲＡＭ２１に格納されている前記曲番号に該当するカラオケ曲周辺データを検索し（Ｓ１４）、映像再生装置２６により図５に示すような液晶画面表示４５を液晶モニタ２７に表示する。ここで、世代別の人気度は、世代別再生頻度値が０〜４９のとき世代別人気度の表示欄に×が表示され、世代別再生頻度値が５０以上のときは○が表示される（Ｓ１５）。次に、リモコン装置２は確定ボタン４４か中止ボタン４３が押されるのを待っており、確定ボタン４４が押された場合は（Ｓ１６：ＹＥＳ）、対本体送信装置２４により曲番号と世代データが送信される（Ｓ１７）。次に、リモコン装置２は前記曲番号のカラオケ曲周辺データ３０の世代別再生頻度値と再生頻度値とを１増やす（Ｓ１８）。
次に、通信カラオケ装置１は、対リモコン受信装置９により曲番号と世代データを受信すると、カラオケ曲周辺データ保持装置７に格納されている前記曲番号に該当するカラオケ曲周辺データ３０の世代別再生頻度値と再生頻度値とを１増やし（Ｓ１９）、全ての予約曲の最後に前記曲番号のカラオケ曲の再生予約を設定する（Ｓ２０）。
また、中止ボタン４３が押された場合は（Ｓ１６：ＮＯ、Ｓ２１：ＹＥＳ）、再び、初期画面表示状態の「歌いたい曲の曲番号とあなたの該当する世代を入力して下さい」の表示に戻る。
【００２９】
また、カラオケ曲周辺データ３０の更新時の手順は、第１実施形態と同一であり、一定期間毎に通信カラオケ装置１において行われる。
【００３０】
これにより、通信カラオケ装置１の利用者は、手元にあるリモコン装置２によりカラオケ曲に関する再生頻度値や歌うときの難易度等のカラオケ曲周辺データ３０を再生予約前に知ることができ、希望にあったカラオケ曲のみの再生予約を行うことが可能となる。また、通信カラオケ装置１の利用者は、カラオケ曲周辺データ３０を毎回、通信カラオケ装置１と通信して得る必要が無くなり、多くのカラオケ曲周辺データの検索を行う場合の通信時間の削減が可能になり、より快適なカラオケ曲選択が可能になる。
【００３１】
次に、第４実施形態のビデオ・オン・デマンド装置（以下ＶＯＤ装置という）のリモコン予約システムについて図８乃至図１１に基づいて説明する。図８はＶＯＤ装置の構成を示すブロック図である。図９は本実施形態のビデオ周辺データのデータ構成図である。図１０はビデオ選択時のフローチャートである。図１１はビデオ周辺データの液晶モニタの表示例である。
第４実施形態のＶＯＤ装置のリモコン予約システムは、図８に示すＶＯＤ装置６０と図１に示すリモコン装置２とから構成される。図８に示すように、ＶＯＤ装置６０は、各機器を制御するＣＰＵ６１、処理情報を一時記憶するＲＡＭ６２、処理プログラムを記憶するＲＯＭ６３、ビデオ番号の予約をするためのキー入力装置６４、ビデオ周辺データ８０（図９参照）を格納するビデオ周辺データ保持装置６５、ビデオ周辺データ８０をリモコン装置２に送信する対リモコン送信装置６６、リモコン装置２からの信号を受信する対リモコン受信装置６７、ホストコンピュータと通信を行うための対ホスト通信装置７２、ホストコンピュータ（図示していない）から受信したビデオデータを格納するビデオデータ保持装置６８、ビデオデータを再生するビデオ再生装置６９、映像を表示するモニタ７１、音声を出力するスピーカ７０から構成されている。また、図１に示すようにリモコン装置２は、各機器を制御するＣＰＵ２０、処理情報を一時記憶するＲＡＭ２１、処理プログラムを記憶するＲＯＭ２２、ビデオ番号等を入力するためのキー入力装置２３、ＶＯＤ装置６０に信号を送信するための対本体送信装置２４、ＶＯＤ装置６０から送られてくるビデオ周辺データ８０を受信する対本体受信装置２５、受信したビデオ周辺データ８０を映像データに変換する映像再生装置２６、及び、再生映像を表示する液晶モニタ２７から構成されている。
【００３２】
次に、ビデオ周辺データ８０のデータ構造を図９に示す。ビデオ周辺データ８０は、ビデオ番号８１、ビデオ名８２、時間８３、各世代の人に再生された回数値である世代別再生頻度値８４、世代別再生頻度値の総和である再生頻度値８５、人気度８６、及び監督等の備考８７から構成されている。
【００３３】
次に、図３にリモコン装置２の外観図を示す。リモコン装置２は、ビデオ周辺データ８０等を表示する液晶モニタ２７、キー入力装置２３としてビデオ番号等を入力するテンキー４１、利用者の世代を入力する世代入力ボタン４２、中止命令を入力する中止ボタン４３、及び、予約を確定する確定ボタン４４より構成されている。
【００３４】
次に、ビデオ番号のリモコン予約の手順を図１０のフローチャートに基づいて説明する。リモコン装置２は入力待ちにあるときは、液晶モニタ２７に「見たいビデオのビデオ番号とあなたの該当する世代を入力して下さい」と表示している。従って、リモコン利用者は、テンキー４１により見たいビデオのビデオ番号を入力する。そして、ビデオ番号を入力後世代入力ボタン４２により世代を入力する（Ｓ３１）。世代入力ボタン４２を押すと、対本体送信装置２４からビデオ番号と世代データがＶＯＤ装置６０に送信される（Ｓ３２）。ＶＯＤ装置６０は、対リモコン受信装置６７によりビデオ番号と世代データを受信すると、ＲＡＭ６２にビデオ番号と世代データを格納し、ビデオ番号に該当するビデオ周辺データ８０をビデオ周辺データ保持装置６５から検索する（Ｓ３３）。次に、ＶＯＤ装置６０は、検索したビデオ周辺データ８０を対リモコン送信装置６６によりリモコン装置２に送信する（Ｓ３４）。
リモコン装置２は、該ビデオ周辺データ８０の信号を対本体受信装置２５により受信し、映像再生装置２６により図１１に示すような液晶画面表示９０を液晶モニタ２７に表示する。ここで、世代別の人気度は、世代別再生頻度値が０〜４９のとき世代別人気度の表示欄に×が表示され、世代別再生頻度値が５０以上のときは○が表示される（Ｓ３５）。
次に、リモコン装置２は確定ボタン４４か中止ボタン４３が押されるのを待っており、確定ボタン４４が押された場合は（Ｓ３６：ＹＥＳ）、対本体送信装置２４により確定信号を送信し、再び、初期画面表示状態の「見たいビデオのビデオ番号とあなたの該当する世代を入力して下さい」の表示に戻る。次に、ＶＯＤ装置６０は、対リモコン受信装置６７により確定信号を受信すると、前記ビデオ周辺データ８０の世代別再生頻度値と再生頻度値とを１増やし（Ｓ３７）、全ての予約ビデオの最後に前記ビデオ番号の再生予約を設定する（Ｓ３８）。そして、再生予約待ち状態に戻る。
また、中止ボタン４３が押された場合は（Ｓ３６：ＮＯ、Ｓ３９：ＹＥＳ）、対本体送信装置２４により中止信号を送信し、再び、初期画面表示状態の「見たいビデオのビデオ番号とあなたの該当する世代を入力して下さい」の表示に戻る。次に、ＶＯＤ装置６０は、対リモコン受信装置６７により中止信号を受信するとビデオ番号の予約は行わなず、再生予約待ち状態に戻る。
【００３５】
次に、ビデオ周辺データ８０の更新時の手順を説明する。一定期間毎にビデオ周辺データ８０の人気度と世代別再生頻度値のデータ更新を行う。人気度の更新は、各世代別再生頻度値の合計を算出し、合計値が５０より小さいときは「低い」、５０以上９９以下のときは「普通」、１００以上のときは「高い」とする。その後、各世代別再生頻度値を各世代別再生頻度値の２分の１を越えない最大整数値と置き換え、世代別再生頻度値の更新を行う。
【００３６】
これにより、ＶＯＤ装置６０の利用者は、手元にあるリモコン装置２によりビデオに関する世代別再生頻度値や人気度等のビデオ周辺データ８０を再生予約前に知ることができ、希望にあったビデオ番号のみの再生予約を行うことが可能となる。また、一定期間毎にビデオ周辺データ８０を更新することにより、そのときの流行が反映された人気度等のビデオ周辺データ８０となるため、世代別再生頻度値及び人気度の各データの信頼性を高くすることが可能になる。
【００３７】
尚、本発明は前記実施の形態に限定されるものでなく、本発明の要旨を逸脱しない範囲内で種々の改良、変更が可能であることは勿論であり、以下のようにしてもよい。
（ａ）本実施形態では、カラオケ曲周辺データを難易度、人気度等にしたが、歌う時期（春、夏、秋、冬、朝、昼、夜、正月、クリスマス、誕生日等）や性別等にしてもよい。
（ｂ）本実施形態では、カラオケ曲の予約時、必ずカラオケ曲周辺データの検索を行うようになっているが、リモコン装置２の確定ボタンを検索ボタンと確定ボタンとに分け、曲番号入力後に検索ボタンを押すとカラオケ曲周辺データの検索を行い、確定ボタンを押すと直ぐカラオケ曲の予約を行うようにしてもよい。
【００３８】
【発明の効果】
以上説明した通り請求項１に係るリモコン予約システムでは、情報周辺データが複数の各世代の人により再生された回数の値に対応する世代別再生頻度値及び世代別再生頻度値の総和からなる再生頻度値を含んでおり、利用者はリモコン装置の入力手段により情報データ名と利用者の世代のデータを入力し、情報再生装置に前記の情報データ名と入力者の世代のデータを送信する。次に、情報再生装置は前記データを受信すると、リモコン受信データ記憶手段により記憶し、前記情報データ名の情報周辺データ（再生頻度値及び世代別再生頻度値等）をリモコン装置に送信する。次に、リモコン装置は受信した前記情報周辺データを利用者に表示し、利用者はこれを参考にして、前記送信した情報データ名の情報データの再生予約の有無を決定し、予約又は中止の信号を情報再生装置に送信する。次に、情報再生装置は予約信号を受信すると、前記情報データの再生予約を行い、再生頻度値と世代別再生頻度値とを１増やす。また、中止信号を受信した場合は、前記情報データの再生予約及び情報周辺データの更新は行わない。
これにより、情報再生装置の利用者は、手元にあるリモコン装置により情報データに関する情報周辺データ（再生頻度値及び世代別再生頻度値等）を再生予約前に知ることができ、リモコン装置の入力者以外の利用者にも興味度の高い情報データの再生予約を行うことが可能となる。
【００３９】
また、請求項２に係るリモコン予約システムによれば、請求項１に係るリモコン予約システムにおいて、ホストコンピュータの端末装置である情報再生装置において、情報周辺データが利用者の再生予約により更新される。その後、ホストコンピュータは、端末装置の更新された情報周辺データを通信手段を介して入手し、この受信データに基づき前記記憶手段に記憶している情報周辺データを更新し、更新後の情報周辺データを前記端末装置に送信する。そして、該更新後の情報周辺データを受信した端末装置は、受信した前記情報周辺データを受信前の情報周辺データと置き換える。
これにより、情報再生装置１台のみの再生頻度等の情報周辺データだけでなく、ホストコンピュータに接続されている他の情報再生装置の再生頻度等の情報周辺データも利用することができ、より信頼性の高い情報周辺データを利用者に提供することが可能なリモコン予約システムを提供することができる。
【００４０】
また、請求項３に係るリモコン予約システムによれば、請求項１又は請求項２に係るリモコン予約システムにおいて、リモコン装置は、入力されたカラオケ曲情報データ名をカラオケ装置に送信すると、折り返しカラオケ装置からカラオケ曲情報データ名に対応するカラオケ曲周辺データ（世代別再生頻度値、再生頻度値及び歌の難易度等）がリモコン装置に送信される。次に、リモコン装置は受信した前記カラオケ曲周辺データを利用者に表示し、利用者はこれを参考にして、前記送信したカラオケ曲情報データ名のカラオケ曲情報データの再生予約の有無を決定し、予約又は中止の信号をカラオケ装置に送信する。次に、カラオケ装置は予約信号を受信すると、前記カラオケ曲情報データの再生予約後世代別再生頻度値及び再生頻度値を１増やし、中止信号を受信した場合は、前記カラオケ曲情報データの再生予約は行わない。
これにより、カラオケ装置の利用者は、手元にあるリモコン装置によりカラオケ曲情報データに関する世代別再生頻度値、再生頻度値及び歌うときの難易度等のカラオケ曲周辺データを再生予約前に知ることができ、希望にあったカラオケ曲情報データのみの再生予約を行うことが可能なリモコン予約システムを提供することができる。
【００４１】
また、請求項４に係るリモコン予約システムによれば、請求項１又は請求項２に係るリモコン予約システムにおいて、リモコン装置は、入力されたビデオ情報名をビデオ再生装置に送信すると、折り返しビデオ再生装置からビデオ情報名に対応するビデオ周辺データ（再生頻度値等）がリモコン装置に送信される。次に、リモコン装置は受信した前記ビデオ周辺データを利用者に表示し、利用者はこれを参考にして、前記送信したビデオ情報名のビデオ情報の再生予約の有無を決定し、予約又は中止の信号をビデオ再生装置に送信する。次に、ビデオ再生装置は予約信号を受信すると、前記ビデオ情報の再生予約後再生頻度値を１増やし、中止信号を受信した場合は、前記ビデオ情報の再生予約は行わない。
これにより、ビデオ再生装置の利用者は、手元にあるリモコン装置によりビデオ情報に関する再生頻度値等のビデオ周辺データを再生予約前に知ることができ、希望にあったビデオ情報のみの再生予約を行うことが可能なリモコン予約システムを提供することができる。
【００４２】
また、請求項５に係るリモコン予約システムによれば、請求項１乃至請求項４のいずれかに係るリモコン予約システムにおいて、情報再生装置は動作開始時に、記憶している全ての情報周辺データ（再生頻度値等）をリモコン装置に送信する。次に、リモコン装置は受信した全ての情報周辺データをデータ記憶手段に記憶し、利用者が入力手段により情報データ名を入力すると、該情報データ名に対応する情報周辺データを表示手段により表示する。次に、利用者はこの表示された情報周辺データを参考にして、再生予約の有無を決定する。そして、利用者により再生予約命令がリモコン装置に入力されると、前記情報データ名の情報データの再生予約信号を送信し、情報周辺データの再生頻度値等の更新を行う。次に、情報再生装置は前記再生予約信号を受信すると、前記情報データ名の情報データの再生予約を行い、情報周辺データの再生頻度値等の更新を行う。
これにより、情報再生装置の利用者は、情報周辺データを毎回、情報再生装置と通信して情報を得る必要が無くなり、多くの情報周辺データの検索を行う場合の通信時間の削減が可能になり、快適な情報検索の環境を提供することが可能なリモコン予約システムを提供することができる。
【００４３】
【００４４】
また、請求項６に係るリモコン予約システムによれば、請求項１乃至請求項５のいずれかに係るリモコン予約システムにおいて、情報周辺データが人気度を含み、情報周辺データの全ての世代別再生頻度値と人気度は、前記更新手段により予め決められた期間毎に更新される。更新方法は、先ず、各情報データに対して、世代別再生頻度値の合計値である再生人気度値を算出し、次に、該更新手段の基準値記憶手段によって記憶されている第１基準値、第２基準値、及び前記各再生人気度値を更新手段により比較する。次に、該再生人気度値が第１基準値よりも小さい場合には人気度を「低い」とし、該再生人気度値が第１基準値以上且つ第２基準値よりも小さい場合には人気度を「普通」とし、該再生人気度値が第２基準値以上の場合には人気度を「高い」として、人気度を置き換える。次に、全ての世代別再生頻度値を各世代別再生頻度値の２分の１を越えない最大整数値と置き換える。
これにより、長期間の間隔で情報周辺データを更新しても、各情報周辺データがその時期の流行に敏感に反応した値となるため、世代別再生頻度値及び人気度の各データの信頼性を高くすることが可能なリモコン予約システムを提供することができる。
【図面の簡単な説明】
【図１】第１実施形態のカラオケ装置のリモコン予約システムのシステム構成を示すブロック図である。
【図２】第１実施形態のカラオケ曲周辺データのデータ構成図である。
【図３】第１乃至第４の実施の形態のリモコン装置の外観図である。
【図４】第１実施形態のカラオケ曲のリモコン予約のフローチャートである。
【図５】第１実施形態のカラオケ曲周辺データのリモコン装置の液晶モニタの表示例である。
【図６】第２実施形態のホストコンピュータのシステム構成を示すブロック図である。
【図７】第３実施形態のカラオケ曲のリモコン予約のフローチャートである。
【図８】第４実施形態のＶＯＤ装置の構成を示すブロック図である。
【図９】第４実施形態のビデオ周辺データのデータ構成図である。
【図１０】第４実施形態のビデオ選択のフローチャートである。
【図１１】第４実施形態のビデオ周辺データのリモコン装置の液晶モニタの表示例である。
【符号の説明】
１            通信カラオケ装置
２            リモコン装置
３０          カラオケ曲周辺データ
４５          カラオケ曲周辺データの液晶モニタ表示例
５０          ホストコンピュータ
６０          ビデオ・オン・デマンド装置
８０          ビデオ周辺データ
９０          ビデオ周辺データの液晶モニタ表示例
【図１】
0003774531.tif 000002
【図２】
0003774531.tif 000003
【図３】
0003774531.tif 000004
【図４】
0003774531.tif 000005
【図５】
0003774531.tif 000006
【図６】
0003774531.tif 000007
【図７】
0003774531.tif 000008
【図８】
0003774531.tif 000009
【図９】
0003774531.tif 000010
【図１０】
0003774531.tif 000011
【図１１】
0003774531.tif 000012